(57)【要約】【課題】  フィルムの供給を中断させないフィルム継ぎ方法及び装置を提供する。【解決手段】  フィルム原反１からのフィルムＦ１に対してフィルム原反１０１からのフィルムＦ２を継ぎ足し、フィルム原反を１から１０１に切り替えてフィルムを供給する。そのため、並置した２つのフィルム継ぎ装置４、１０４に、吸着表面を持ち断面扇状の吸着兼貼付けパッド２４、１２４を、互いに対向させたときに両者の外表面間に当接された締め付け部を形成するように回転軸の回りに回動可能に配設する。フィルム原反１０１から巻き戻したフィルムＦ２の先端部をフィルム継ぎ装置１０４の吸着兼貼付けパッド１２４上に吸着保持させその先端外面上に両面粘着テープを貼り付ける。こうして吸着兼貼付けパッド２４、１２４を回転軸２０、１２０の回りに同期して回転させ、両者の間でフィルムＦ１に対してフィルムＦ２の先端を継ぎ足す。【選択図】      図１
2007137579.tif 000002
【特許請求の範囲】
【請求項１】
第１のフィルム原反から巻き戻して供給しているフィルムに対して第２のフィルム原反から巻き戻したフィルムを継ぎ足し、巻き戻して供給するフィルムを第１のフィルム原反から第２のフィルム原反に切り替えるためのフィルム継ぎ方法であって、断面扇状で吸気孔が開口された部分的円筒吸着表面を持つ第１及び第２の２つの吸着兼貼付けパッドを、互いに対向させたときに両者の外表面間に当接された締め付け部を形成するように回転軸の回りに回動可能に配設し、前記第２のフィルム原反から巻き戻したフィルムの先端部を前記第２の吸着兼貼付けパッド上に吸着保持させるとともに該フィルムの先端外面上に両面粘着テープを貼り付け、前記第１の吸着兼貼付けパッドを前記回転軸の回りに回転させ前記第１のフィルム原反から巻き戻して供給しているフィルムを前記第１の吸着兼貼付けパッドの外表面上に吸着保持させたのち、前記第１及び第２の吸着兼貼付けパッドを前記回転軸の回りに同期して回転させ両者の間で、前記第１のフィルム原反から巻き戻して供給しているフィルムに対して前記第２のフィルム原反から巻き戻したフィルムの先端を前記両面粘着テープによって継ぎ足すことを特徴とするフィルム継ぎ方法。
【請求項２】
前記第１のフィルム原反から巻き戻して供給しているフィルム上の印刷模様の位置を検知し、前記第２の吸着兼貼付けパッド上に先端が吸着保持されたフィルム上の印刷模様の位置に対し前記検知した印刷模様の位置を整合するよう前記第２の吸着兼貼付けパッド上に吸着保持されたフィルム先端を継ぎ足すことを特徴とする請求項１に記載のフィルム継ぎ方法。
【請求項３】
第１のフィルム原反から巻き戻して供給しているフィルムに対して第２のフィルム原反から巻き戻したフィルムを継ぎ足し、巻き戻して供給するフィルムを第１のフィルム原反から第２のフィルム原反に切り替えるためのフィルム継ぎ装置であって、断面扇状で吸気孔が開口された部分的円筒吸着表面を有し互いに対向させたときに両者の外表面間に当接された締め付け部を形成するように回転軸の周りに回動可能に配設された第１及び第２の２つの吸着兼貼付けパッド、前記第２のフィルム原反から巻き戻して外表面に両面粘着テープを貼り付けたフィルム先端部を吸着保持した前記第２の吸着兼貼付けパッドと、前記第１のフィルム原反から巻き戻して供給しているフィルムを外表面上に吸着保持した前記第１の吸着兼貼付けパッドをそれぞれ前記回転軸の周りに同期して回転させる駆動装置とを有し、前記第１及び第２の吸着兼貼付けパッドの間で、前記第１のフィルム原反から巻き戻して供給しているフィルムに対して前記第２のフィルム原反から巻き戻したフィルムの先端を前記両面粘着テープによって継ぎ足すように構成したことを特徴とするフィルム継ぎ装置。
【請求項４】
前記フィルム継ぎ後のフィルムを供給するフィルムの供給経路内に、フィルムの溜め部を配置したことを特徴とする請求項３に記載のフィルム継ぎ装置。
【請求項５】
前記第１及び第２の吸着兼貼付けパッドの回転軸の回りに、それぞれ前記第１及び第２のフィルム原反から巻き戻して供給するフィルムを案内する回転自在なガイドローラを配置したことを特徴とする請求項３又は４に記載のフィルム継ぎ装置。
【発明の詳細な説明】
【技術分野】
【０００１】
本発明は、第１のフィルム原反から巻き戻して供給しているフィルムに対して第２のフィルム原反から巻き戻したフィルムを継ぎ足し、供給するフィルムを第１のフィルム原反から第２のフィルム原反に切り替えるためのフィルム継ぎ方法及びフィルム継ぎ装置に関する。
【背景技術】
【０００２】
包装装置などで、フィルムを連続供給してゆく場合、１つのフィルム原反が消費されると新しいフィルム原反に切り換えてフィルムを供給するのであるが、そのフィルム原反の切り換えは迅速に行なうことが望まれる。しかしながらフィルム原反の切り換えには、供給を終えたフィルム原反から供給されていたフィルムを切断し、その端にテープを貼り付けるなどして新しいフィルム原反のフィルムに継なぐ必要があるために、フィルム継ぎを正確に行なうにはフィルムの供給を一次停止し、かなりの時間を必要とするという問題があった。
特に、包装装置では、送られるフィルムに印刷が施されたものを使用することが多く、包装された商品の袋などの印刷がフィルム継ぎによってずれないように正確に整合させて継ぐ必要があるためフィルム継ぎを迅速に行いロスタイムを少なくするのは熟練を要する作業であった。
【０００３】
従来のフィルム継ぎ方法としては、フィルム供給を切り替えるときに、新しいフィルム原反から巻き戻して引き出したフィルム先端に両面粘着テープを貼り付け、フィルム供給を終えるフィルム原反からのフィルムの供給を停止し、そのフィルムに対し、両面粘着テープを貼り付けた新しいフィルム端を押し付けて、その新しいフィルム先端を供給中のフィルムに貼り付けて両フィルムを継ぎ、供給を終える方のフィルムを新しいフィルム端を継いだ位置の後で切断し、継がれた新しいフィルムの供給を続けてゆくものであった。
【０００４】
このような従来のフィルム継ぎのやり方だと、新しいフィルム原反から巻き戻したフィルムの先端に両面粘着テープを貼り付けて、そのフィルム端に貼り付けられた両面粘着テープを、供給を終えるフィルムに対して押し付けて貼り合わせるものであるから、フィルム継ぎ操作に時間が掛かり、また、継ぎ合わせるフィルム上の印刷模様合わせを行なう場合には、その印刷模様合わせに熟練を要する上、フィルム継ぎのためにフィルムの供給をかなりの時間中断することが必要になるという問題があった。
【発明の開示】
【発明が解決しようとする課題】
【０００５】
本発明は、第１のフィルム原反から巻き戻して供給しているフィルムに対して第２のフィルム原反から巻き戻したフィルムを継ぎ足し、供給するフィルムを第１のフィルム原反から第２のフィルム原反に切り替えるためのフィルム継ぎにおいて、フィルムの供給を中断させることなくフィルム継ぎを行なえるようにしたフィルム継ぎ方法及びフィルム継ぎ装置を提供することを課題としている。
【課題を解決するための手段】
【０００６】
本発明は前記課題を解決するためのフィルム継ぎ方法として、第１のフィルム原反から巻き戻して供給しているフィルムに対して第２のフィルム原反から巻き戻したフィルムを継ぎ足し、巻き戻して供給するフィルムを第１のフィルム原反から第２のフィルム原反に切り替えるためのフィルム継ぎ方法において、断面扇状で吸気孔が開口された部分的円筒吸着表面を持つ第１及び第２の２つの吸着兼貼付けパッドを、互いに対向させたときに両者の外表面間に当接された締め付け部を形成するように回転軸の回りに回動可能に配設し、前記第２のフィルム原反から巻き戻したフィルムの先端部を前記第２の吸着兼貼付けパッド上に吸着保持させるとともに該フィルムの先端外面上に両面粘着テープを貼り付け、前記第１の吸着兼貼付けパッドを前記回転軸の回りに回転させ前記第１のフィルム原反から巻き戻して供給しているフィルムを前記第１の吸着兼貼付けパッドの外表面上に吸着保持させたのち、前記第１及び第２の吸着兼貼付けパッドを前記回転軸の回りに同期して回転させ両者の間で、前記第１のフィルム原反から巻き戻して供給しているフィルムに対して前記第２のフィルム原反から巻き戻したフィルムの先端を前記両面粘着テープによって継ぎ足すことからなるフィルム継ぎ方法を提供する。
【０００７】
また、本発明は前記課題を解決するためのフィルム継ぎ装置として、第１のフィルム原反から巻き戻して供給しているフィルムに対して第２のフィルム原反から巻き戻したフィルムを継ぎ足し、巻き戻して供給するフィルムを第１のフィルム原反から第２のフィルム原反に切り替えるためのフィルム継ぎ装置において、断面扇状で吸気孔が開口された部分的円筒吸着表面を有し互いに対向させたときに両者の外表面間に当接された締め付け部を形成するように回転軸の周りに回動可能に配設された第１及び第２の２つの吸着兼貼付けパッド、前記第２のフィルム原反から巻き戻して外表面に両面粘着テープを貼り付けたフィルム先端部を吸着保持した前記第２の吸着兼貼付けパッドと、前記第１のフィルム原反から巻き戻して供給しているフィルムを外表面上に吸着保持した前記第１の吸着兼貼付けパッドをそれぞれ前記回転軸の周りに同期して回転させる駆動装置とを有し、前記第１及び第２の吸着兼貼付けパッドの間で、前記第１のフィルム原反から巻き戻して供給しているフィルムに対して前記第２のフィルム原反から巻き戻したフィルムの先端を前記両面粘着テープによって継ぎ足すように構成したフィルム継ぎ装置を提供する。
【発明の効果】
【０００８】
本発明のフィルム継ぎ方法においては、第２のフィルム原反から巻き戻されて継ぎ足しを行なうフィルムの先端部を第２の吸着兼貼付けパッド上に吸着保持させてそのフィルムの先端部外面上に両面粘着テープを貼り付ける。そして、第１のフィルム原反から巻き戻して供給しているフィルムを第１の吸着兼貼付けパッドの外表面上に吸着保持するよう第１の吸着兼貼付けパッドを前記回転軸の回りに回転させる。そして、第１及び第２の吸着兼貼付けパッドを回転軸の回りに同期して同時に回転させ両者の間で、第１のフィルム原反から供給しているフィルムに対して第２のフィルム原反からのフィルム先端を継ぎ足すことによってフィルム継ぎを迅速に行なうことができる。
【０００９】
本発明によるフィルム継ぎ方法において、前記第１のフィルム原反から巻き戻して供給しているフィルム上の印刷模様の位置を検知し、前記第２の吸着兼貼付けパッド上に先端が吸着保持されたフィルム上の印刷模様の位置に対し前記検知した印刷模様の位置を整合するよう前記第２の吸着兼貼付けパッド上に吸着保持されたフィルム先端を継ぎ足すことによって、前記第１のフィルム原反から巻き戻して供給しているフィルムに対して前記第２のフィルム原反から巻き戻したフィルムを、その印刷模様を整合させてフィルム継ぎさせることができる。
【００１０】
次に、本発明のフィルム継ぎ装置によれば、前記した本発明のフィルム継ぎ方法を容易に実施可能なフィルム継ぎ装置が提供される。特に、本発明によるフィルム継ぎ装置は、吸気孔が開口された断面扇状の部分的円筒吸着表面を有する２つの吸着兼貼付けパッドを回転軸の回りに回動可能に設けるとともに、これをそれぞれ回転軸の回りに同期して回転させる駆動装置を設ければよいので構造が簡単で速やかにフィルム継ぎを行なえる装置が提供される。
【００１１】
本発明によるフィルム継ぎ装置において、フィルム原反から巻き戻して供給するフィルムの供給経路内に、ダンサーロール等によるフィルムの溜め部分を配置した構成にすると、フィルム継ぎを低速で少し時間をかけて行なっても、その間にその溜め部分のフィルムを消費してフィルムの供給をそのまま続けることができる。
【００１２】
また、本発明によるフィルム継ぎ装置において、前記第１及び第２の吸着兼貼付けパッドの回転軸の回りに、それぞれ前記第１及び第２のフィルム原反から巻き戻して供給するフィルムを案内する回転自在なガイドローラを配置した構成にすると、フィルム継ぎを行なう場合、吸着兼貼付けパッドをその回転軸の回りに回転変位させるだけでフィルム継ぎを行ない、フィルム継ぎが終了したら吸着兼貼付けパッドをその回転軸の周りに元の位置へ回転変位させるだけで、そのままフィルムの供給を続けることができ、フィルム原反からのフィルムを交互に切り替えることでフィルムの供給を継続して行なうことができる。
【発明を実施するための最良の形態】
【００１３】
以下、本発明によるフィルム継ぎ方法及び装置を図示した実施の一形態に基づいて具体的に説明する。
全体構成を示す図１において、１はフィルム供給中の第１のフィルム原反で、スタンド２の上部に回転自在に保持されている。第１のフィルム原反１から巻き戻されたフィルムＦ１はフィルム上の印刷模様を検知する印刷模様検知装置３、フィルム継ぎ装置４、駆動ロール５及びフィルム溜め部７を経て消費先に供給される。印刷模様検知装置３はフィルム原反１から巻き戻されて送られるフィルムＦ１上の印刷模様を検知して制御装置（図示していない）に送る働きをする。駆動ロール５は押さえロール６によって押し当てられたフィルムＦ１を、フィルム原反１からフィルムを引き出して送り出す働きをする。８はフィルムを導くガイドローラを示している。
【００１４】
フィルム継ぎ装置４を構成する吸着兼貼付け部の詳細が図２に示してあり、これによってその詳細について説明する。２０は回転軸で、両端に設けられた支持軸受け２１に保持され適宜の駆動装置（図示していない）によって所定角度の駆動回転が行なわれるように構成されている。
回転軸２０にはベアリング２３によってガイドローラ２２が回転自在に支持されている。また、回転軸２０には吸着兼貼付けパッド２４が取付けられている。吸着兼貼付けパッド２４は、図３に示すように断面が扇状になるように中空円筒を長さ方向に切り取った形をしており、内部に長さ方向に伸びた溝２５を有し、これを覆い板２６で覆ってボルト２７で固定して中空部２８が形成されている。
【００１５】
吸着兼貼付けパッド２４は回転軸２０の回転によって、回転軸２０の軸心周りに所定角度だけ回転されるように構成されている。
吸着兼貼付けパッド２４に形成された中空部２８は回転軸２０の軸心に形成された吸気穴３０に連通穴３１を介して連通されている。また、吸着兼貼付けパッド２４には、中空部２８を外部に連通し吸着表面を形成するよう多数の吸気孔２９が設けられている。回転軸２０の軸心に形成された吸気穴３０は吸気パイプ３２を経て真空ポンプなどの適宜の真空源（図示していない）に連通されるように構成されている。
【００１６】
以上のように構成された吸着兼貼付けパッド２４を具えたフィルム継ぎ装置４は、図１に示されているようにカッター支持装置１１とともにスタンド２及びフレームに取付けられている。カッター支持装置１１には、フィルム原反１から巻き戻されて送り出されているフィルムＦ１を横方向に切断するためのカッター１２が設けられている。
図１に見られるように、以上説明したと同じ構成をもつフィルム供給系が対称をなして右側に配置されており、左側に示した部分と対応する部分には１００を付加した符合を付けて示してあり、これについての重複する説明を省略する。
なお、以下の説明では左右の部品の区別するため、右側の部品については左側の部品符号に１００を付加した符号を付して説明する。
【００１７】
次に、図１におけるフィルム溜め部７について説明する。フィルム溜め部７は一端を枢着軸１０回りに回転可能に支持されたアーム９を有し、アーム９の先端には、フィルムが掛け渡されるダンサーローラ１３が回転自在に支持されている。このダンサーローラ１３には上方の２つのガイドローラ８の間にあるフィルムが下方に引き出されて掛け渡されている。こうして２つのガイドローラ８の間からダンサーローラ１３によって引き出されたフィルムが、供給されるフィルムの溜めとなって保持される。
【００１８】
図示したフィルム継ぎ装置は以上説明した構成を有しており、フィルム原反１から巻き戻されて、印刷模様検知装置３、フィルム継ぎ装置４、駆動ロール５及びフィルム溜め部７を経て消費先に供給されている状態で、フィルム原反１のフィルムＦ１が図１の破線に示すように終わりになると、右側の新しいフィルム原反１０１からフィルムＦ２がフィルムＦ１に継ぎ足されてフィルム原反１０１からのフィルム供給に切り替えられる。
【００１９】
そのために、まず、新しいフィルム原反１０１から引き出されたフィルムＦ２の先端をフィルム継ぎ装置１０４の位置まで導いて、フィルム継ぎ装置１０４に設けられている吸着兼貼付けパッド１２４の表面上に置き、吸着兼貼付けパッド１２４の吸気孔１２９からの吸引力によってフィルムＦ２先端を吸着兼貼付けパッド１２４の上に保持させる。こうして吸着兼貼付けパッド１２４の上に保持させたフィルムＦ２の先端に両面粘着テープを貼付けておく。このとき、吸着兼貼付けパッド１２４の上に先端を保持されたフィルムＦ２上における印刷模様の位置情報を印刷模様検知装置１０３で得て制御装置に記憶しておく。
【００２０】
以上の準備作業の後、フィルムの供給を終えるフィルム原反１からのフィルムＦ１における印刷模様の位置情報を印刷模様検知装置３で得て制御装置に送り、フィルム継ぎ装置１０４における吸着兼貼付けパッド１２４の上に先端を保持されたフィルムＦ２上に関して予め記憶してある印刷模様についての位置情報に符合可能となった時点で回転軸２０を回転させる。これによる吸着兼貼付けパッド２４の回転につれ、回転軸２０に回転自在に支持されているガイドローラ２２に導かれていたフィルムＦ１は、ガイドローラ２２を離れて、フィルム継ぎ装置４における吸着兼貼付けパッド２４に乗る。
吸着兼貼付けパッド２４が、吸着待機中のフィルム継ぎ装置１０４の吸着兼貼付けパッド１２４と対向した位置になったとき、回転軸２０を停止させ、更に巻き戻し中のフィルムＦ１が、フィルム継ぎ装置１０４の吸着兼貼付けパッド２４に保持されたフィルムＦ２と対向した位置になったとき、駆動ロール５を停止させフィルムＦ１の巻き戻しを中止する。このとき、吸着兼貼付けパッド２４が吸着を開始して、吸着兼貼付けパッド２４上にフィルムＦ１を吸引力で保持される。その後、カッター支持装置１１を動作させ、カッター１２でフィルムＦ１を切断してフィルム原反１から巻き戻しを中止したフィルムＦ１を切り離す。
【００２１】
回転軸２０を同時に同期して回転させることにより、吸着兼貼付けパッド２４と吸着兼貼付けパッド１２４を互いに相手方へ近づくように図１に白矢印で示すように互いに反対方向に回転させる。このとき、両回転軸２０、１２０に駆動ローラ５も同期させて、接合のためのフィルムの引き出しを補助し、かつ、巻き戻し途中のフィルムの供給を再開する。フィルム継ぎ装置４とフィルム継ぎ装置１０４におけるそれぞれの吸着兼貼付けパッド２４と１２４が当接されて互いに表面が押し付けられると、フィルム継ぎ装置１０４における吸着兼貼付けパッド１２４の上に保持されているフィルムＦ２の先端に付着されていた両面粘着テープのためにフィルムＦ２の先端は、フィルム継ぎ装置４における吸着兼貼付けパッド２４の上に吸着保持されているフィルムＦ１と接続される。このとき既に、フィルム原反１からのフィルムＦ１はカッター１２で横に切断されているので、フィルムＦ１は供給ラインから切り離され、代わりにフィルム原反１０１からのフィルムＦ２が供給ラインに接続された状態となる。
【００２２】
フィルムの供給がフィルム原反１からフィルム原反１０１に切り替えられたら、フィルム継ぎ装置４とフィルム継ぎ装置１０４におけるそれぞれの吸着兼貼付けパッド２４と１２４は、回転軸２０及び１２０の回転によって回動されて元の位置に戻される。吸着兼貼付けパッド２４と１２４が元の位置に戻ると、フィルムＦ２は回転軸１２０に回転自在に支持されているガイドローラ１２２に導かれて供給される状態となる。こうして、フィルム継ぎが終了したらフィルム原反１０１からのフィルムＦ２が供給ラインに接続された状態となる。
フィルム継ぎにおける、フィルムＦ１の吸着兼貼付けパッド２４への吸引、及びフィルムＦ１の切断が行われている間、フィルム原反１からのフィルムＦ１の供給を停止されるが、フィルム原反１からのフィルムＦ１の供給が停止している間は、フィルム溜め部７においてダンサーローラ１３によって溜められているフィルムが供給され、消費部へのフィルム供給は中断されることなく、フィルムの供給は常時連続して行なわれる。ダンサーローラ１３によって引き出された形で溜められていたフィルムが消費されるにつれてアーム９は枢着軸１０回りに上方に向けて回転される。
枢着軸１０に取付けられたアーム９の角度検出により、消費された溜め量を検出し、その量に見合った速度を増速して駆動ロール５を回転させフィルムを多めに巻き戻すことにより溜め量を素早く復元させる。
【００２３】
こうしてフィルムの供給はフィルム原反１からフィルム原反１０１へと切り替えられるが、継ぎ足されたフィルムＦ１とフィルムＦ２は、それぞれのフィルムにおける印刷模様の位置情報を検知する印刷模様検知装置３、１０３からの情報を基にして上記したように整合されるよう制御されるので、継ぎ足したフィルムを連続供給しても印刷模様がずれることがない。
フィルム原反１０１のフィルムＦ２が破線で示すように終わりになると、スタンド１に新しいフィルム原反が支持され、その新しいフィルム原反から引き出したフィルムの先端をフィルム継ぎ装置４における吸着兼貼付けパッド２４の上に吸着保持させ、その先端に両面粘着テープを貼付けてフィルム継ぎの準備を行なったあと、上記したと同様にフィルム原反１０１から供給されているフィルムＦ２に対し、その新しいフィルムの先端を継ぎ足してフィルムの連続供給を持続させるのである。
【００２４】
以上、本発明を実施の一形態に基づいて具体的に説明したが、本発明はこの実施形態に限定されるものではなく、特許請求の範囲に記載の本発明の範囲内で種々の変形、変更を加えてよいことはいうまでもない。
例えば、前記した実施の形態では、ダンサーロールによるフィルム溜め部７を設けてフィルム継ぎのためにフィルム原反からのフィルム供給が一時的に停止されても消費部へのフィルム供給か中断されないようにしているが、短時間だけのフィルム供給停止があってもよい場合には、フィルム溜め部７を省いてもよい。
また、フィルム溜め部を設ける場合も図示したダンサーロールで構成したものに限らず他の構成による公知のフィルム溜めを採用してよい。
【００２５】
また、前記した実施の形態では、回転軸２０によってガイドローラ２２、１２２を支持するとともに、回転軸２０及び１２０の周りにフィルム継ぎ装置４、１０４における吸着兼貼付けパッド２４、１２４を回動させる構造としているが、要は供給されているフィルムに係合してそのフィルムを、他方の吸着兼貼付けパッド２４又は１２４上の新しいフィルム原反からのフィルムと当接させる機能の構成であればよく、フィルム継ぎ装置における吸着兼貼付けパッドはガイドローラと別の回転軸の回りに回動される構造としてもよい。
また、前記した実施の形態では、フィルム上の印刷模様の位置情報を検知する印刷模様検知装置をフィルム原反から巻き戻して送られるフィルムに対し設置しているが、印刷模様がないフィルムを用いる場合や印刷模様の位置情報が重要でない場合などは、これを設置していない装置とすることができる。
また、フィルム継ぎを実施するタイミングは、原反の巻き戻しの終了地点だけでなく、フィルムの消費量を計測して所定の長さを消費した時点でもよく、また、任意のタイミングで開始してもよい。
【図面の簡単な説明】
【００２６】
【図１】本発明の実施の一形態によるフィルム継ぎ装置の構成を示す説明図。
【図２】図１に示したフィルム継ぎ装置における吸着兼貼付け部を構成する吸着兼貼付けパッドなどを示す図面で、（ａ）は平面図、（ｂ）は（ａ）図を側面から見た断面図。
【図３】図２（ｂ）における３−３線に沿う断面図。
【符号の説明】
【００２７】
１、１０１    フィルム原反
２、１０２    スタンド
３、１０３    印刷模様検知装置
４、１０４    フィルム継ぎ装置
５            駆動ロール
６            押さえロール
７            フィルム溜め部
８、１０８    ガイドローラ
９            アーム
１０          枢着軸
１１、１１１  カッター支持装置
１２、１１２  カッター
１３          ダンサーローラ
２０          回転軸
２１          支持軸受け
２２          ガイドローラ
２３          ベアリング
２４          吸着兼貼付けパッド
２５          溝
２６          覆い板
２７          ボルト
２８          中空部
２９          吸気孔
３０          吸気穴  
３１          連通穴
３２          吸気パイプ
【図１】
2007137579.tif 000003
【図２】
2007137579.tif 000004
【図３】
2007137579.tif 000005